(57)【特許請求の範囲】
【請求項１】
屋外開口と屋内開口を有する換気通路が形成された本体部と、上記換気通路内に形成された円筒状空間部と、上記円筒状空間部の円周に沿った円弧形状を有し上記円周の中心部で換気通路方向に交差して設けられた軸を中心に円弧移動することにより上記換気通路に対する開閉を行う円弧遮蔽板と、温度に応じた作動量で動作するアクチュエータと、上記アクチュエータの動作力で上記円弧遮蔽板を円弧移動することにより、所定温度では上記換気通路を全開状態とし、上記所定温度から低温および高温の各々の範囲で上記換気通路を半開から全閉状態とする開閉駆動部と、を備え、
第１の組として第１円弧遮蔽板と第１アクチュエータと第１開閉駆動部とを有し、第２の組として第２円弧遮蔽板と第２アクチュエータと第２開閉駆動部とを有しており、上記第１の組によって上記低温から上記所定温度の範囲で、上記第１円弧遮蔽板を円弧移動し、上記第２の組によって上記所定温度から上記高温の範囲で上記第２円弧遮蔽板を円弧移動させるようにし、
上記低温時の上記換気通路の全閉状態では、第１円弧遮蔽板は上記換気通路に対して全閉となるように位置する一方で、第２円弧遮蔽板は上記換気通路に対して全開となるように位置し、上記高温時の上記換気通路の全閉状態では、第１円弧遮蔽板は上記換気通路に対して全開となるように位置する一方で、第２円弧遮蔽板は上記換気通路に対して全閉となるように位置することを特徴とする換気装置。
【請求項２】
請求項１に記載の換気装置において、上記第１の組の第１アクチュエータおよび第１開閉駆動部は上記本体部の一方の端部側に設けられており、上記第２の組の第２アクチュエータおよび第２開閉駆動部は上記本体部の他方の端部側に設けられていることを特徴とする換気装置。
【請求項３】
請求項１または請求項２に記載の換気装置において、上記円筒状空間部は横向きに形成されていることを特徴とする換気装置。
【請求項４】
請求項３に記載の換気装置において、上記屋外開口は上記屋内開口の位置と同じか或いは低い位置に形成されていることを特徴とする換気装置。
【請求項５】
請求項１または請求項２に記載の換気装置において、上記円筒状空間部は縦置き用に構成されていることを特徴とする換気装置。
【発明の詳細な説明】
【技術分野】
【０００１】
この発明は、屋外と屋内の間の壁に配置される換気装置に関する。
【背景技術】
【０００２】
特許文献１には、温度を感知して動作するワックスサーモエレメントによってダンパーを回動し、このダンパーによって換気通路を開閉する機構が開示されている。さらに、上記特許文献１の図６には、２５℃で換気装置が全開となり、この２５℃よりも温度が低くなるにつれて半開から全閉になるとともに、上記２５℃よりも温度が高くなるにつれて半開から全閉になるようにすることが開示されている。
【先行技術文献】
【特許文献】
【０００３】
【特許文献１】実開平２−１２８０３６号公報
【発明の開示】
【発明が解決しようとする課題】
【０００４】
しかしながら、上記特許文献１の換気装置では、換気通路に進入した風の力を上記ダンパーが受けた場合に当該ダンパーを回動させる方向に力を発生させるため、上記ダンパーが風によってがたつくおそれがあり、また、このがたつきによって上記ダンパーと上記換気通路との間に隙間が発生し、全閉状態において密閉性を確保できないおそれがある。
【０００５】
この発明は、上記の事情に鑑み、換気通路に進入した風の力で開閉板ががたつくのを防止できる換気装置を提供することを課題とする。
【課題を解決するための手段】
【０００６】
本発明の換気装置は、上記の課題を解決するために、屋外開口と屋内開口を有する換気通路が形成された本体部と、上記換気通路内に形成された円筒状空間部と、上記円筒状空間部の円周に沿った円弧形状を有し上記円周の中心部に設けられた軸を中心に円弧移動することにより上記換気通路に対する開閉を行う円弧遮蔽板と、温度に応じた作動量で動作するアクチュエータと、上記アクチュエータの動作力で上記円弧遮蔽板を円弧移動することにより、所定温度では上記換気通路を全開状態とし、上記所定温度から低温および高温の各々の範囲で上記換気通路を半開から全閉状態とする開閉駆動部と、を備えたことを特徴とする。
【０００７】
上記の構成であれば、上記換気通路内に進入した風によって上記円弧遮蔽板には上記軸への力が生じ、上記円弧遮蔽板を回動させる方向に力は生じないことになる。このため、上記円弧遮蔽板が風でがたつくのを防止することができ、また、上記円弧遮蔽板の閉状態において高い密閉度を確保することができる。
【０００８】
第１の組として第１円弧遮蔽板と第１アクチュエータと第１開閉駆動部とを有し、第２の組として第２円弧遮蔽板と第２アクチュエータと第２開閉駆動部とを有しており、上記第１の組によって上記低温から上記所定温度の範囲で上記第１円弧遮蔽板を円弧移動し、上記第２の組によって上記所定温度から上記高温の範囲で上記第２円弧遮蔽板を円弧移動するようにしてもよい。これによれば、単一の円弧遮蔽板を円弧移動させる場合に比べて上記第１、第２アクチュエータの各々の駆動力の負担が小さくて済むことになる。また、このように第１の組と第２の組で駆動を分担すると、上記換気通路を開状態にしておく上記所定温度の範囲を広く設定できる等の利点が得られる。
【０００９】
上記第１の組の第１アクチュエータと第１開閉駆動部は上記本体部の一方の端部側に設けられており、上記第２の組の第２アクチュエータと第２開閉駆動部は上記本体部の他方の端部側に設けられていてもよい。
【００１０】
上記円筒状空間部は横向きに形成されていてもよい。この場合、上記屋外開口は上記屋内開口の位置と同じか或いは低い位置に形成されているのがよい。
【発明の効果】
【００１１】
本発明であれば、換気装置の開閉板が風でがたつくのを防止でき、上記開閉板の閉状態において高い密閉度を確保できる等の諸効果を奏する。
【図面の簡単な説明】
【００１２】
【図１】本発明の一実施形態に係る換気装置が家屋の外壁に嵌め込まれた状態を示した概略の斜視図である。
【図２】図１の換気装置のＡ−Ａ断面図である。
【図３】図１の換気装置の概略のＢ−Ｂ断面図である。
【図４】同図（Ａ）および同図（Ｂ）は図１の換気装置の内部構造の概略の斜視図である。
【図５】同図（Ａ）および同図（Ｂ）は図１の換気装置における第１ユニットの構成と動作を示した説明図である。
【図６】同図（Ａ）および同図（Ｂ）は図１の換気装置における第２ユニットの構成と動作を示した説明図である。
【図７】図１の換気装置の動作を示した説明図である。
【図８】本発明の他の実施形態に係る換気装置を示した断面図である。
【図９】本発明の他の実施形態に係る換気装置を示した断面図である。
【図１０】本発明の他の実施形態に係る換気装置が家屋の外壁に嵌め込まれた状態を示した概略の斜視図である。
【発明を実施するための最良の形態】
【００１３】
次に、本発明の実施形態に係る換気装置を添付図面に基づいて具体的に説明する。なお、本発明に係る換気装置は、下記の実施形態に示したものに限定されず、その要旨を変更しない範囲において適宜変更して実施できるものである。
【００１４】
図１に示しているように、この実施形態の換気装置１は、例えば家屋の窓サッシ枠２の下方側で当該窓サッシ枠２とは別体に外壁に嵌め込まれている。上記換気装置１の厚みは例えば１５０ｍｍ程度とされ、上記外壁の厚みと同じとなるように設定されている。また、上記換気装置１は横幅が例えば１８００ｍｍである横長の直方体形状をなしている。
【００１５】
図２にも示しているように、上記換気装置１の本体部１０内には、屋外開口１ａと屋内開口１ｂを有する換気通路１ｃが形成されており、上記換気通路１ｃ内の中程に円筒状空間部１ｄが横向きに形成されている。具体的には、上記円筒状空間部１ｄの直径は上記換気通路１ｃの高さ寸法よりも大きく、上記換気通路１ｃの中程の上下壁面には上記円筒状空間部１ｄの円周長の１／４程度の円弧長を有する円弧状凹部が形成されている。上記円筒状空間部１ｄ内には、この円筒状空間部１ｄの円周に沿った円弧形状を有する第１円弧遮蔽板１１および第２円弧遮蔽板１２が設けられている。上記第１、第２円弧遮蔽板１１、１２の円弧長は上記円筒状空間部１ｄの円周長の１／４程度とされている。
【００１６】
上記第１円弧遮蔽板１１の両端部には扇形状をした第１支持部材１１ａが固定されており、上記第１支持部材１１ａが上記円筒状空間部１ｄの中心を回転中心にして回動することにより、上記第１円弧遮蔽板１１が上記円筒状空間部１ｄの円周に沿って円弧移動する。同様に、上記第２円弧遮蔽板１２の両端部には扇形状をした第２支持部材１２ａが固定されており、上記第２支持部材１２ａが上記円筒状空間部１ｄの中心を回転中心にして回動することにより、上記第２円弧遮蔽板１２が上記円筒状空間部１ｄの円周に沿って円弧移動する。
【００１７】
図３に示しているように、上記円筒状空間部１ｄの中心軸上に上記第１支持部材１１ａの回動中心となる軸部１１ｂが設けられており、この軸部１１ｂは上記第２円弧遮蔽板１２の回動中心に設けられた軸受部１２ｃに挿入されている。また、上記第２支持部材１２ａの回動中心には軸部１２ｂが設けられており、この軸部１２ｂは上記第１円弧遮蔽板１１の回動中心に設けられた軸受部１１ｃに挿入されている。すなわち、上記第１円弧遮蔽板１１および上記第２円弧遮蔽板１２は、上記円筒状空間部１ｄの円周の中心を互いに共通の回動軸として回動する。上記軸部１１ｂの端部には第１ユニット３におけるピニオン３１（第１開閉駆動部）が固定されている。また、上記軸部１２ｂの端部には第２ユニット４におけるピニオン４１（第２開閉駆動部）が固定されている。上記第１ユニット３は上記本体部１０の一方の端部側に設けられており、上記第２ユニット４は上記本体部１０の他方の端部側に設けられている。
【００１８】
図４（Ａ）および図４（Ｂ）に示しているように、上記ピニオン３１にはラック３２（第１開閉駆動部）が歯合しており、このラック３２が移動することによって上記第１支持部材１１ａおよび上記第１円弧遮蔽板１１が上記軸部１１ｂを中心にして回動する。また、上記ピニオン４１にはラック４２（第２開閉駆動部）が歯合しており、このラック４２が移動することによって上記第２支持部材１２ａおよび上記第２円弧遮蔽板１２が上記軸部１２ｂを中心にして回動する。
【００１９】
図５（Ａ）および図５（Ｂ）は、第１ユニット３の構成および動作を示している。第１ユニット３は、形状記憶合金からなる温度伸縮ばね３３（第１のアクチュエータ）とバイアスばね３４とを備えている。上記温度伸縮ばね３３の上端部は一定位置に固定されており、下端部はスライド部材３５の下部側片３５ａに固定されている。また、バイアスばね３４の下端部は一定位置に固定されており、上端部はスライド部材３５の上部側片３５ｂに固定されている。スライド部材３５は図示しないガイドによって案内されて上下方向に移動し、この上下方向の移動によってリンク３６が回動し、このリンク３６によって上記ラック３２が上下移動する。なお、換気装置１の屋外側には屋外開口１ａを覆うグリルが設けられており、このグリルに開けられた開口から入る屋外の空気が上記温度伸縮ばね３３の周囲に流れ込むようにしてあり、上記温度伸縮ばね３３は外気温度を感知することになる。
【００２０】
上記温度伸縮ばね３３は、例えば温度が２２℃を越えると縮みだして上記バイアスばね３４のばね力に対抗するようになり、温度に応じた縮み量でスライド部材３５を移動させる。そして、上記温度伸縮ばね３３は、例えば温度が２５℃以上になると最も縮むように設計されおり、温度が２２℃を越えて２５℃となるまでの間において、上記第１円弧遮蔽板１１は屋外開口１ａ側を塞いでいた状態から９０°回動して換気通路１ｃの上壁面の円弧状凹部に至る。なお、上記第１円弧遮蔽板１１の移動範囲を９０°に制限するためのストッパを上記円筒状空間部１ｄに設けておいてもよいし、或いは、上記スライド部材３５等の移動範囲を制限しておくことで、上記第１円弧遮蔽板１１の回動範囲を９０°に制限することもできる。
【００２１】
図６（Ａ）および図６（Ｂ）は、第２ユニット４の構成および動作を示している。第２ユニット４は、形状記憶合金からなる温度伸縮ばね４３（第２のアクチュエータ）とバイアスばね４４とを備えている。上記温度伸縮ばね４３の下端部は一定位置に固定されており、上端部はスライド部材４５の上部側片４５ａに固定されている。また、バイアスばね４４の上端部は一定位置に固定されており、下端部はスライド部材４５の下部側片４５ｂに固定されている。スライド部材４５は図示しないガイドによって案内されて上下方向に移動し、この上下方向の移動によってリンク４６が回動し、このリンク４６によって上記ラック４２が上下移動する。上記温度伸縮ばね４３も外気温度を感知する。
【００２２】
上記温度伸縮ばね４３は、例えば温度が２５℃を越えると縮みだして上記バイアスばね４４のばね力に対抗するようになり、温度に応じた縮み量でスライド部材４５を移動させる。そして、上記温度伸縮ばね４３は、例えば温度が２８℃以上になると最も縮むように設計されており、温度が２５℃を越えて２８℃となるまでの間において、上記第２円弧遮蔽板１２は下壁面の円弧状凹部に位置していた状態から９０°回動して換気通路１ｃの屋内開口１ｂ側を塞ぐ位置に至る。なお、上記第２円弧遮蔽板１２の移動範囲を９０°に制限するためのストッパを上記円筒状空間部１ｄに設けておいてもよいし、或いは、上記スライド部材４５等の移動範囲を制限しておくことで、上記第２円弧遮蔽板１２の回動範囲を９０°に制限することもできる。
【００２３】
図７は外気温度の変動による上記換気装置１の動作を示した説明図である。この例では、外気温度が２２℃（低温）以下の状態では換気装置１は全閉状態を維持する。外気温度が２２℃（低温）を越えると上記第１円弧遮蔽板１１だけが回動を開始し、半開の状態となり、外気温度が２５℃（所定温度）に至ると、全開の状態となる。そして、外気温度が２５℃（所定温度）を越えると上記第２円弧遮蔽板１２だけが回動を開始し、半開の状態となり、外気温度が２８℃（高温）に至ると、全閉の状態となる。外気温度が２８℃（高温）以上の状態では換気装置１は全閉状態を維持することになる。
【００２４】
上記の換気装置１であれば、上記換気通路１ｃ内に進入した風によって上記円弧遮蔽板１１、１２には上記軸部１１ｂ、１２ｂへの力が生じ、上記円弧遮蔽板１１、１２を回動させる方向に力は生じないことになる。このため、上記円弧遮蔽板１１、１２が風でがたつくのを防止することができ、また、上記円弧遮蔽板１１、１２における閉状態において高い密閉度を確保することができる。
【００２５】
また、この実施形態では、上記換気装置１の厚みは当該換気装置１が設置される家屋の外壁厚と同じにされており、上記円筒状空間部１ｄを大きくして大きな換気容量を確保することが可能である。
【００２６】
また、上記第１ユニット３と第２ユニット４を備え、第１円弧遮蔽板１１と第２円弧遮蔽板１２を個別に駆動するようにしたので、単一の円弧遮蔽板を円弧移動させる場合に比べて上記温度伸縮ばね３３、４３の各々の駆動力の負担が小さくて済むことになる。また、このように上記第１ユニット３と第２ユニット４で駆動を分担すると、上記円筒状空間部１ｄを全開状態にしておく上記所定温度の範囲を例えば２４℃〜２６℃のように広く設定できる等の利点が得られる。
【００２７】
単一の円弧遮蔽板を移動させる構造を排除するものではない。例えば、図８に示している換気装置１Ａのように、円筒状空間部１ｄの円周長の１／４程度の長さを有する単一の円弧遮蔽板１３を略１８０°の範囲で温度変化に基づいて円弧移動させる構造としてもよい。
【００２８】
図９は、他の実施形態にかかる換気装置１Ｂを示した断面図である。この換気装置１Ｂの換気通路１ｃは段状に形成されており、屋外開口１ａは屋内開口１ｂよりも低い位置に形成されている。このため、雨水などが屋内側に入り込み難い。さらに、この換気装置１Ｂでは、換気装置１、１Ａにおいて存在していた換気通路１ｃにおける上下壁面の円弧状凹部が無くされている。このため、円筒状空間部１ｄに塵埃が溜まり難い。
【００２９】
図１０は、他の実施形態にかかる換気装置１Ｃを示した断面図である。この換気装置１Ｃは、縦置き用に構成されたものであり、屋外開口１ａには雨水の進入を防止する雨水進入防止板１４が設けられている。
【００３０】
なお、上記の換気装置１，１Ａ，１Ｂにおいても雨水進入防止板やカバーを設けてもよい。また、これらの換気装置において防虫ネットや花粉除去のフィルター等を設けてもよい。
【００３１】
また、各ユニット３、４において温度伸縮ばね３３、４３とバイアスばね３４、４４とスライド部材３５、４５のセットを複数設けて開閉駆動力を向上させるようにしてもよい。
【符号の説明】
【００３２】
１、１Ａ、１Ｂ、１Ｃ  換気装置
１ａ    屋外開口
１ｂ    屋内開口
１ｃ    換気通路
１ｄ    円筒状空間部
１０    本体部
１１    第１円弧遮蔽板
１１ａ  第１支持部材
１１ｂ  軸部（軸）
１２    第２円弧遮蔽板
１２ａ  第２支持部材
１２ｂ  軸部（軸）
１３    単一の円弧遮蔽板
３      第１ユニット（第１の組）
３１    ピニオン（第１開閉駆動部）
３２    ラック（第１開閉駆動部）
３３    温度伸縮ばね（第１のアクチュエータ）
３４    バイアスばね
４      第２ユニット（第２の組）
４１    ピニオン（第２開閉駆動部）
４２    ラック（第２開閉駆動部）
４３    温度伸縮ばね（第２のアクチュエータ）
４４    バイアスばね
【図１】
0006034044.tif 000002
【図２】
0006034044.tif 000003
【図３】
0006034044.tif 000004
【図４】
0006034044.tif 000005
【図５】
0006034044.tif 000006
【図６】
0006034044.tif 000007
【図７】
0006034044.tif 000008
【図８】
0006034044.tif 000009
【図９】
0006034044.tif 000010
【図１０】
0006034044.tif 000011